(57)【要約】【課題】インキの補充作業や印刷時におけるインキ汚れもなく、綺麗な、かつ効率的インキ充填とパッド印刷ができ、遠隔にある被印刷物へのパッド印刷が簡単にできるカップ式インキ充填具及びこれを用いたパッド印刷方法を提供する。【解決手段】下端側の凹部６内にインキ７を蓄溜しているカップ本体２の下端面は蓋体４により完全に被包されて流通される。印刷時にはこの蓋体４を取り外し、ここに版板１１を被せて逆にし、カップ式インキ充填具１を版板に沿って移動させることにより版板に刻設されている文字等にインキ７が充填し、版板のその他の部分はリング状刃部３により綺麗に清掃されて汚れがない。文字等にパッドを押圧することにより綺麗なパッド印刷ができる。また、このカップ式インキ充填具１は手軽に持ち運びができ、遠隔地へのパッド印刷が極めて容易にできる。【選択図】図１
2006281721.tif 000002
【特許請求の範囲】
【請求項１】
版板に刻設される文字等にパッド印刷用インキを充填し、パッドを押圧して前記文字等を転写し被印刷物にパッド印刷を施すパッド印刷装置に使用され、前記版板上を摺動して前記文字等内にのみ前記インキを充填するに使用されるカップ式インキ充填具であって、該充填具は、下端側にインキ蓄り用の凹部を形成すると共にこの凹部内に連通するインキ供給孔を形成するカップ本体と、該カップ本体の下端に設けられ版板上のインキを除去清掃して前記文字等内にインキを充填するためのリング状刃部と、前記凹部内に螺着されて前記凹部の開放面に近接して配置される磁石と、前記凹部の開放面を被包し前記カップ本体に着脱可能に装着される蓋体とを有することを特徴とするカップ式インキ充填具。
【請求項２】
前記請求項１に記載のカップ式インキ充填具を用いるパッド印刷方法であって、該方法は、前記カップ式インキ充填具を上向きにしてその前記蓋体を取り外して前記カップ式インキ充填具の凹部の開放面に文字等を刻設した所望の版板を当接させる第１の手順と、この状態にあるカップ式インキ充填具を逆にして前記版板をパッド印刷装置の平面台上に搭載する第２の手順と、前記カップ式インキ充填具を前記版板上で摺動させて前記文字等内にのみインキを充填する第３の手順と、インキが充填された前記文字等にパッドを押圧して前記文字等をパッド側に転写し、被印刷物にパッドを押圧して前記文字等の印刷を行うことを特徴とするカップ式インキ充填具によるパッド印刷方法。
【請求項３】
前記版板が、スチール板とその上面に塗布される平滑な感光樹脂体からなり、前記文字等が前記感光樹脂体に刻設されることを特徴とする請求項２に記載のカップ式インキ充填具によるパッド印刷方法。
【請求項４】
前記パッドが持ち運び可能な手指押し用アチッチメントに取付けられ、前記版板の前記文字等の上に前記手指押し用アタッチメントを搭載し、指押しすることにより前記文字等がパッドに転写されることを特徴とする請求項２又は３に記載のカップ式インキ充填具によるパッド印刷方法。
【発明の詳細な説明】
【技術分野】
【０００１】
本発明は、パッド印刷に用いられ版板の文字等にインキを充填するカップ式インキ充填具とこれを使用したパッド印刷方法に関する。
【背景分野】
【０００２】
パッド印刷は、版板に刻設されインキの充填されている文字等をパッドに転写してこれを被印刷物に押圧して印刷を行うものであるが、版板に形成されている文字等にのみインキを綺麗に充填するためのインキ充填具が使用される。このインキ充填具としては各種のものがあるが、例えば、「特許文献１」はその一例を示すものである。また、パッド印刷装置としては「特許文献２」が一例として挙げられる。
【特許文献１】特開平１０−１１４１３９（図３）
【特許文献２】特開平１１−１２３８１０（図１）
【発明の開示】
【発明が解決しようとする課題】
【０００３】
「特許文献１」の「特開平１０−１１４１３９」の「ゴルフボールの記号印刷構造及びその記号印刷方法」は、その図３に開示するようにインキの充填はドクター（４）及びスキージ（７）を用いるものであり、版板（３）上にインキを供給し、ドクター（４）とスキージ（７）を版板（３）に沿って移動させて版板（３）上の文字等にインキを充填するものが開示されているに過ぎない。また、「特許文献２」の「特開平１１−１２３８１０」の「パッド印刷機」はインキが塗布されている印板（版板）に転写パッドを押し付けて所定のパターンを構成するインキをパッドに付着させてこれを被印刷物に押し付けて印刷をするものであるが、その特徴としては転写パッドを印刷に押しつける前に加熱し、転写品質の向上を図ることを特徴としており、後述する本発明の内容，構成とは大きく相異するものである。
【０００４】
本発明は、以上の事情に鑑みて発明されたものであり、流通時における取扱が便利であり、インキの供給が容易で供給時におけるインキ汚れやこぼれもなく、離隔した場所への移動してパッド印刷ができる簡便構造のカップ式インキ充填具とそれを用いたパッド印刷方法を提供することを目的とする。
【課題を解決するための手段】
【０００５】
本発明は、以上の目的を達成するために、請求項１の発明は、版板に刻設される文字等にパッド印刷用インキを充填し、パッドを押圧して前記文字等を転写し被印刷物にパッド印刷を施すパッド印刷装置に使用され、前記版板上を摺動して前記文字等内にのみ前記インキを充填するに使用されるカップ式インキ充填具であって、該充填具は、下端側にインキ蓄り用の凹部を形成すると共にこの凹部内に連通するインキ供給孔を形成するカップ本体と、該カップ本体の下端に設けられ版板上のインキを除去清掃して前記文字等内にインキを充填するためのリング状刃部と、前記凹部内に螺着されて前記凹部の開放面に近接して配置される磁石と、前記凹部の開放面を被包し前記カップ本体に着脱可能に装着される蓋体とを有することを特徴とする。
【０００６】
また、請求項２の発明は、前記請求項１に記載のカップ式インキ充填具を用いるパッド印刷方法であって、該方法は、前記カップ式インキ充填具を上向きにしてその前記蓋体を取り外して前記カップ式インキ充填具の凹部の開放面に文字等を刻設した所望の版板を当接させる第１の手順と、この状態にあるカップ式インキ充填具を逆にして前記版板をパッド印刷装置の平面台上に搭載する第２の手順と、前記カップ式インキ充填具を前記版板上で摺動させて前記文字等内にのみインキを充填する第３の手順と、インキが充填された前記文字等にパッドを押圧して前記文字等をパッド側に転写し、被印刷物にパッドを押圧して前記文字等の印刷をそのことを特徴とする。
【０００７】
また、請求項３の発明は、前記版板が、スチール板とその上面に塗布される平滑な感光樹脂体からなり、前記文字等が前記感光樹脂体に刻設されることを特徴とする。
【０００８】
また、請求項４の発明は、前記パッドが持ち運び可能な手指押し用アチッチメントに取付けられ、前記版板の前記文字等の上に前記手指押し用アタッチメントを搭載し、指押しすることにより前記文字等がパッドに転写されることを特徴とする。
【発明の効果】
【０００９】
本発明の請求項１の「カップ式インキ充填具」によれば、インキは充填具の凹部に当初から供給され、この凹部を開放面を蓋体で被った状態で流通されるためインキの供給時や充填具の使用時におけるインキ汚れが発生せず、極めて整然と使用され、なお、カップ式インキ充填具を用いてパッド印刷する時には蓋体を取り外してここに版板を当接してカップ式インキ充填具を版板の表面に沿って摺動させる単純の動作によって完全な充填ができ、版板表面の汚れも生じない。また、蓋体を取り外さなければ単体として離隔地にまで移動させることができる。また、磁石が凹部の開放面に近接して配置されるため、カップ式インキ充填具は版板を弱い磁力で吸引され、版板とカップ式インキ充填具の当接面からのインキ洩れが生じない。
【００１０】
また、本発明の請求項２の「カップ式インキ充填具によるパッド印刷方法」によれば、カップ式インキ充填具によってインキが充填された文字等に、手動でパッドを押圧してパッド側に転写を行うことにより、簡単に綺麗なパッド印刷ができ、かつ任意の場所にある（離隔位置を含む）被印刷物へのパッド印刷が可能になり、極めて便利である。
【００１１】
また、本発明の請求項３の「カップ式インキ充填具によるパッド印刷方法」によれば、版板がスチール板を有するものからなり、カップ式インキ充填具の磁石により版板が引き寄せられ、カップ式インク充填具が版板に密着密閉される。即ち、特別のバネ等を用いる必要がなく、インキ洩れを完全に防止することができる。また、感光樹脂体に文字等が刻設されるため、刻設が簡単な手段で正確にできる。
【００１２】
また、本発明の請求項４の「カップ式インキ充填具によるパッド印刷方法」によれば、パッドが持ち運び可能に手指押し用アタッチメントに取着しているためパッドへの転写が容易にでき、転写されたパッドを手指押し用アタッチメントの持ち運びにより任意遠隔場所に運ぶことができる。
【発明を実施するための最良の形態】
【００１３】
以下、本発明のカップ式インキ充填具及びこれを用いたパッド印刷方法の実施の形態を図面を参照して詳述する。図１に示すように、カップ式インキ充填具１は、指で握って版板１１（図４）上を容易に摺動させる外観形状を有するカップ本体２と、この下端面に着脱可能に固着されるリング状刃部３と、このリング状刃部３の全体を覆ってカップ本体２の下端に着脱可能に冠着される蓋体４と、磁石５等とからなる。
【００１４】
カップ本体２は、大径部２ａと、これに連設される小径部２ｂ及び小径部２ｂの上部に形成される把持部２ｃ等からなる外観形状を示すものからなり、大径部２ａと把持部２ｃの外面には滑り止め用のローレット加工が施されている。カップ本体２の下端側に凹部６が凹設され、凹部６にはパッド印刷用インキ７（以下、インキ７という）が蓄溜される。また、凹部６にはカップ本体２の上端に開口するインキ供給孔８が連通し、インキ供給孔８の上端にはキャップ９が螺着される。
【００１５】
カップ本体２の下端に着脱可能に固定されるリング状刃部３は版板１１上に付着するインキ７を版板１１の表面からぬぐい取ると共に版板１１に刻設された文字等１２にインキ７を充填する機能を有するものであり、下端にシャープの尖鋭刃３ａを形成する高硬度の材質のものからなる。本実施例では、リング状刃部３はカップ本体２に螺着されているが、勿論これに限定するものではない。
【００１６】
カップ本体２の凹部６の壁部１０には図２に示すように複数個（図示では６個）の磁石５が螺着される。なお、この磁石６の下端面はカップ本体２詳しくにはリング状刃部３の下端面から少し離れた位置に下端面を配置するものからなる。
【００１７】
蓋体４は凹部６内に蓄溜されているインキ７をその状態に保持するものでカップ本体２の下端の開口部を被包するものからなり、例えば、合成樹脂製の被包体からなる。なお、蓋体４はカップ式インキ充填具１の不使用時にのみカップ本体２に被着されるものであり、カップ式インキ充填具１の流通時には蓋体４はカップ本体２に取着された状態にある。
【００１８】
凹部６内のインキ７がなくなった場合や少量になった場合には図３に示すようにインキ供給孔８に螺着しているキャップ９を取り外し、ここからインキ７を補充する。
【００１９】
版板１１は、本実施例ではスチール板１１ａとこの上に塗布された感光樹脂体１１ｂからなる。スチール板１１ａを用いることにより磁石５に磁力が作用し、カップ式インキ充填具の密着性が向上し、インキ洩れがなくなる。また、感光樹脂体１１ｂを用いることにより文字等１２が光学的手段により容易に刻設される。
【００２０】
次に、以上の構造のカップ式インキ充填具１を用いたパッド印刷方法について図４により説明する。まず、図４に示すようにカップ式インキ充填具１を下端側を上面にした状態にして蓋体４をカップ本体２から取り外す。次に、予め所望の文字等１２を刻設してある版板１２を文字等１２を図示のように下方に向けた状態で覆わせて凹部６を閉止する。カップ式インキ充填具１には前記のように磁石５があるため版板１１はカップ本体２側に軽く磁着しリング状刃部３の尖鋭刃３ａに密接する。これにより凹部６は完全に閉止され、凹部６内のインキ７はカップ本体２から洩れない。但し、凹部６に接している版板１１の面にはインキ７が付着する。
【００２１】
次に、図５に示すように、図４の状態にあった版板１１付きのカップ式インキ充填具１をひっくり返し、版板１１を下方にして装置の機台（図略）上に搭載する。この状態から図５に示すようにカップ式インキ充填具１を版板１１の表面に沿って移動（往復）させると版板１１の文字等１２内にインキ７が充填し、その他の部分はリング状刃部３の尖鋭刃３ａによりぬぐい伝られ版板１１の表面は綺麗になる。
【００２２】
次に、図６に示すように、パッド１３を文字等１２の上方に位置決めてパッド１３を文字等１２側に押圧するとパッド１３側に文字等１２が転写される。このパッド１３を被印刷物１４に押圧することによりパッド印刷が行われる。仮りにパッド１３が手運び可能なものの場合には遠隔場所にある被印刷物１４のパッド印刷が容易にできる。以上により小売店においてもパッド印刷サービスが可能になり、パッド印刷の一層の普及が図れる。また、本発明のパッド印刷は紙は勿論、プラスチック類のフィルムや成形品，金属，ガラス，セトモノ等のほぼすべての材料に可能である。
【００２３】
図７は手指押し用アタッチメント１５を用いたパッド印刷方法を示す。パッド１３は手指押し用アタッチメント１５に取着され、押し棒１６を押すことによりパッド１３が文字等に押圧され文字等１３が転写される。この手指押し用アタッチメント１５は簡単に持ち運びできるため、パッド１３を遠隔場所まで運ぶことができ、任意の場所にある被印刷物へのパッド印刷ができる。
【００２４】
以上、カップ式インキ充填具の実施例の構造を説明したが、カップ式インキ充填具は前記のものに限定するものではなく、同一技術的範疇のものも採用されることは勿論である。
【産業上の利用可能性】
【００２５】
本発明は、手軽なパッド印刷のカップ式インキ充填具とそれによるパッド印刷について説明したが、手軽に持ち運び出来ることにより、各種の被印刷物のパッド印刷を可能にし、その用途は極めて多く、利用範囲は広い。
【図面の簡単な説明】
【００２６】
【図１】本発明のカップ式インキ充填具の全体構造を示す軸断面図。
【図２】図１の蓋体を取り外した状態にあるカップ式インキ充填具の底面図。
【図３】カップ式インキ充填具のインキ供給状態を説明するための模式的軸断面図。
【図４】本発明のカップ式インキ充填具によるパッド印刷方法を説明するための模式図（ａ），（ｂ），（ｃ）。
【図５】本発明によるパッド印刷の方法を示す模式図。
【図６】パッド印刷方法の一例を示す模式図。
【図７】パッド印刷方法の一例を示す模式図。
【符号の説明】
【００２７】
１    カップ式インキ充填具
２    カップ本体
２ａ  大径部
２ｂ  小径部
２ｃ  把持部
３    リング状刃部
３ａ  尖鋭刃
４    蓋体
５    磁石
６    凹部
７    インキ（パッド印刷用インキ）
８    インキ供給孔
９    キャップ
１０  壁部
１１  版板
１２  文字等
１３  パッド
１４  被印刷物
１５  手指押し用アタッチメント
１６  押し棒
【図１】
2006281721.tif 000003
【図２】
2006281721.tif 000004
【図３】
2006281721.tif 000005
【図４】
2006281721.tif 000006
【図５】
2006281721.tif 000007
【図６】
2006281721.tif 000008
【図７】
2006281721.tif 000009